(57)【要約】【課題】構成を簡素化して、製作を容易にすることができるとともに、簡単な構成で複数の空気通路を区分けできるフィルタを提供する。【解決手段】空調装置用のフィルタ１０は、フィルタケース内に区画形成された内気通路と外気通路に跨るように配置され、濾材シート１２を襞状に折曲げて形成されたフィルタ基材１１の両幅端部１１ｂに端板１３が接合されて構成されている。前記濾材シート１２の襞配列方向の端部における襞片１２ａの一枚分が端板１３に固定されない自由端となり、該自由端を有する襞部１１ａが、隣接する濾材シート１２の自由端を有する襞部１１ａに重ね合わせて重ね合わせ部が構成される。この重ね合わせ部が内気と外気の仕切り部１４となっている。【選択図】図１
2013126644.tif 000002
【特許請求の範囲】
【請求項１】
濾材シートが襞折りして形成されたフィルタ基材の襞延長方向の両幅端部に端板が固定されているフィルタであって、
前記フィルタ基材を、複数の濾材シートを襞配列方向に連続させて構成し、各濾材シートの襞配列方向の端部の襞部を隣接する他の濾材シートの襞部と重ね合わせるとともに、襞配列方向に隣接する端板の端部を接合させたことを特徴とするフィルタ。
【請求項２】
前記襞部の少なくとも一枚の襞片を端板に固定されない自由端とし、該自由端の襞片を、隣接する濾材シートの襞部に重ね合わせたことを特徴とする請求項１に記載のフィルタ。
【請求項３】
前記重ね合わされる襞部の位置は、各濾材シートの濾過面積の割合が、その濾材シートを通過する空気の流量に対応するように決定されることを特徴とする請求項１又は請求項２に記載のフィルタ。
【請求項４】
前記濾材シートは濾目の粗いものと濾目の細かいものとが組合されて構成されていることを特徴とする請求項１から請求項３のいずれか一項に記載のフィルタ。
【請求項５】
車室内の空気が循環される内気通路と、外気が導入される外気通路とを有し、請求項１から請求項４のいずれか一項に記載のフィルタを別体の濾材シートがそれぞれ内気通路及び外気通路に位置するように組込んだことを特徴とする空調装置。
【発明の詳細な説明】
【技術分野】
【０００１】
本発明は、例えば自動車の車室内に外気を導入するための外気通路と、車室内の空気を循環するための内気通路とに跨るように配置されるキャビンフィルタ等に適するフィルタ及びそのフィルタを用いた空調装置に関する。
【背景技術】
【０００２】
一般に、空気中の不純物の除去、臭気成分の除去等を目的として、キャビンフィルタ、空調用フィルタ、脱臭フィルタ等が用いられている。これらのフィルタは、濾過性能を向上させるために、濾材シートをプリーツ成形してフィルタ基材を製作することにより表面積（濾過面積）の増大が図られている。該フィルタ基材の両幅端部には、フィルタ基材を形状保持するために端板がホットメルト接着剤等の接着剤で固着されている。
【０００３】
この種のフィルタを備えた空調装置が特許文献１に開示されている。この空調装置においては、空調ケース内に配設される四角形状の枠体内に、外気と内気の空気通路を区画する仕切り部が設けられている。この仕切り部の両側の室に外気と内気がそれぞれ通過する合計一対のフィルタが配置されている。そして、一対のフィルタで外気と内気を各々独立して濾過するようになっている。
【先行技術文献】
【特許文献】
【０００４】
【特許文献１】特開２００２−３１０４５３号公報
【発明の概要】
【発明が解決しようとする課題】
【０００５】
しかしながら、特許文献１に記載されている従来構成のフィルタにおいては、枠体を使用し、その枠体内に独立した空気通路を形成するために、仕切り部を設けなければならず、構成が複雑で製作が面倒であり、コストアップにつながるという問題があった。
【０００６】
そこで、本発明の目的とするところは、構成を簡素化して、製作を容易にすることができるとともに、簡単な構成で複数の空気通路を区分けできるフィルタ及び空調装置を提供することにある。
【課題を解決するための手段】
【０００７】
上記目的を達成するために、請求項１に記載の発明のフィルタは、濾材シートが襞折りして形成されたフィルタ基材の襞延長方向の両幅端部に端板が固定されているフィルタであって、前記フィルタ基材を、複数の濾材シートを襞配列方向に連続させて構成し、各濾材シートの襞配列方向の端部の襞部を隣接する他の濾材シートの襞部と重ね合わせるとともに、襞配列方向に隣接する端板の端部を接合させたことを特徴とする。
【０００８】
請求項２に記載の発明のフィルタは、請求項１に係る発明において、前記襞部の少なくとも一枚の襞片を端板に固定されない自由端とし、該自由端の襞片を、隣接する濾材シートの襞部に重ね合わせたことを特徴とする。
【０００９】
請求項３に記載の発明のフィルタは、請求項１又は請求項２に係る発明において、前記重ね合わされる襞部の位置は、各濾材シートの濾過面積の割合が、その濾材シートを通過する空気の流量に対応するように決定されることを特徴とする。
【００１０】
請求項４に記載の発明のフィルタは、請求項１から請求項３のいずれか一項に係る発明において、前記濾材シートは濾目の粗いものと濾目の細かいものとが組合されて構成されていることを特徴とする。
【００１１】
請求項５に記載の発明の空調装置は、車室内の空気が循環される内気通路と、外気が導入される外気通路とを有し、請求項１から請求項４のいずれか一項に記載のフィルタを別体の濾材シートがそれぞれ内気通路及び外気通路に位置するように組込んだことを特徴とする。
【発明の効果】
【００１２】
本発明によれば、次のような効果を発揮することができる。
本発明においては、フィルタ基材が襞折りされた複数の濾材シートで構成され、各濾材シートの襞配列方向の端部の襞部が重ね合わされ、該重ね合わせ部が空気流路の仕切り部となっている。このため、仕切り部は通気抵抗が大きく、空気を区分してそれぞれ独立に濾過させることができる。そして、仕切り部が濾材シートの重ね合わせのみによって簡易に構成され、そのため簡単に製作することができる。
【図面の簡単な説明】
【００１３】
【図１】本発明の一実施形態におけるフィルタを示す斜視図。
【図２】そのフィルタを製作する状態を分解して示す正面図。
【図３】フィルタの作用を示す説明図。
【図４】本発明の別例のフィルタを製作する状態を分解して示す正面図。
【図５】本発明のさらなる別例のフィルタを製作する状態を分解して示す正面図。
【図６】本発明のその他のフィルタを製作する状態を分解して示す正面図。
【発明を実施するための形態】
【００１４】
以下、本発明を具体化した実施形態を図１〜図３に基づいて詳細に説明する。
図１及び図２に示すように、フィルタ基材１１は不織布等で形成された２枚の濾材シート１２をプリーツ状に折曲げて構成され、複数の襞部１１ａが形成されている。両濾材シート１２の襞延長方向の両幅端部１１ｂにはそれぞれ端板１３が固着され、空調装置用のフィルタ１０が形成される。濾材シート１２の両幅端部１１ｂと端板１３との固着は、例えば端板１３に形成された図示しないジグザグ状の組付溝に濾材シート１２の幅端部１１ｂを嵌合した状態で、この嵌合部を熱融着したり、接着剤で接着したりすることにより行われる。或いは、プリーツ状の濾材シート１２を端板１３のフラットな側面に熱融着したり、接着剤で接着したりするだけでもよい。これらの端板１３により、濾材シート１２の襞折り形状が保持されるとともに、空気の濾過通路が区画される。なお、各図面においては、濾材シート１２の襞部１１ａ（又は谷部）の数は実際よりも少なく描かれている。
【００１５】
前記濾材シート１２はポリプロピレン樹脂（ＰＰ、融点１５０〜１６５℃）、ポリエチレンテレフタレート樹脂（ＰＥＴ、融点２５６〜２６４℃）等の熱可塑性樹脂により形成され、端板１３はポリプロピレン樹脂、ポリエチレン樹脂（ＰＥ、融点１０７〜１４０℃）等の熱可塑性樹脂により形成されている。
【００１６】
この実施形態では両濾材シート１２の端部の襞部１１ａが一山分重ね合わされ、この重ね合わせ部がフィルタ基材１１を通過する空気の通路を２つに仕切る仕切り部（境界部）１４となっている。例えば、その仕切り部１４を境にして一方の濾材シート１２が内気を濾過し、他方の濾材シート１２が外気を濾過する。この仕切り部１４の位置、つまり両濾材シート１２のそれぞれの面積は、内気が通過する濾過面積と外気が通過する濾過面積の割合が、内気の流量と外気の流量に対応するように決定される。
【００１７】
例えば、内気の流量が７０体積％で外気の流量が３０体積％である場合には、内気が通過する濾材シート１２の濾過面積が７０％で外気が通過する濾材シート１２の濾過面積が３０％となるように仕切り部１４の位置が定められる。この濾過面積は、濾材シート１２を襞部１１ａがなくなるように展開した場合の面積である。従って、両濾材シート１２の投影面積が同じであっても、襞部１１ａの密度や高さが異なれば濾過面積も異なる。
【００１８】
図３に示すように、上記のフィルタ１０は空調装置を構成するフィルタケース１５内に配置され、その端板１３がフィルタケース１５の受け面（図示しない）に着脱可能に支持される。フィルタケース１５内には、内気通路１６と外気通路１７を区画形成する区画壁１８が設けられている。そして、図示しないファンにより車室内の空気が循環される内気及び車外から導入される外気がそれぞれ内気通路１６及び外気通路１７を通ってフィルタ１０へ到るようになっている。
【００１９】
フィルタ１０の仕切り部１４は、フィルタケース１５内の区画壁１８と対応するところに位置している。フィルタ１０において、内気が通過する側の濾材シート１２は濾目の粗い内気用のフィルタで構成され、外気が通過する側の濾材シート１２は濾目の細かい外気用のフィルタで構成されている。そのため、内気及び外気の濾過をそれぞれの性状に対応した濾材シート１２により適切に行うことができるようになっている。前記端板１３が固定された濾材シート１２は、汚れが蓄積されたとき交換できるように構成されている。
【００２０】
前記フィルタ１０の下流側には冷却用熱交換器としての図示しないエバポレータが配置され、フィルタ１０から流出された内気又は外気はそのエバポレータで常法に従って熱交換が行われた後、所定の吹き出し口から車室内に吹き出されるようになっている。
【００２１】
続いて、前記フィルタ１０の製作方法について説明する。
図２に示すように、一対の濾材シート１２のそれぞれの両幅端部１１ｂには端板１３が固着されるとともに、各濾材シート１２の襞配列方向の端部の襞部１１ａを形成する片側の襞片１２ａが端板１３に接合されない自由端となっている。そして、一方の濾材シート１２の襞配列方向の端部の１つの襞部１１ａを他方の濾材シート１２の襞配列方向の端部の１つの襞部１１ａの上に重ね合わせて重ね合わせ部を形成することにより、両濾材シート１２を一体化させるとともに、両端板１３の端面１３ａを突き合わせる。
【００２２】
得られたフィルタ１０において、濾材シート１２の襞一山分の重ね合わせ部においては濾材シート１２が二枚重ねになっており、濾材シート１２のその他の部分に比べて通気抵抗が大きくなって、空気はほとんど通過しない。このため、重ね合わせ部は内気通路１６と外気通路１７を仕切る仕切り部１４としての役割を果たし、両通路１６，１７における内気と外気の連通を防ぐことができる。
【００２３】
次に、上記のように構成されたフィルタ１０について作用を説明する。
さて、図１に示すように、本実施形態のフィルタ１０では、襞折りされたフィルタ基材１１の中間部に一山分重ね合わされて形成された重ね合わせ部が設けられ、その重ね合わせ部が内気と外気の流れを仕切る仕切り部１４となっている。このため、図３に示すように、内気通路１６からの内気と外気通路１７からの外気が仕切り部１４により区分された状態でそれぞれ独立してフィルタ基材１１に到り、両濾材シート１２で各々濾過される。従って、従来とは異なり、フィルタ基材１１を収容する枠体を設け、その枠体内に仕切り部分を設けて内気と外気の流れを仕切る必要はない。
【００２４】
また、フィルタ１０を製作する場合には、図２に示すように、両幅端部１１ｂに端板１３が接合された一対の濾材シート１２について、それぞれ襞配列方向の端部の襞部１１ａを形成する片側の襞片１２ａを端板１３に接合されない自由端とする。そして、一方の濾材シート１２の端部の１つの襞部１１ａを他方の濾材シート１２の端部の１つの襞部１１ａ上に重ね合わせるとともに、両端板１３の端面１３ａを突き合わせて接合する。このようにして、中央に仕切り部１４を有するフィルタ１０を速やかに製作することができる。
【００２５】
そして、図３に示すように、中央に仕切り部１４を有するフィルタ１０がフィルタケース１５内に配設されると、その仕切り部１４がフィルタ１０の上流側及び下流側に配置されているフィルタケース１５の区画壁１８と対応するところに位置する。このため、内気通路１６を通る内気は一方の濾材シート１２を通過すると同時に、外気通路１７を通る外気は他方の濾材シート１２を通過し、両通気は仕切り部１４により適切に仕切られた状態でフィルタ１０を通過する。
【００２６】
従って、一方の濾材シート１２を通過する内気は微細な塵、埃等が捕捉されると同時に、他方の濾材シート１２を通過する外気は比較的大きい塵（粉塵）、埃等が捕捉される。
以上の実施形態により発揮される効果を以下にまとめて説明する。
（１）この実施形態におけるフィルタ１０においては、フィルタ基材１１が襞折りされた２枚の濾材シート１２で構成され、各濾材シート１２の襞配列方向の端部が一山分重ね合わされ、該重ね合わせ部が内気と外気の仕切り部１４となっている。このため、内気と外気を独立して通過させる仕切り部１４が、濾材シート１２の襞配列方向における端部を重ね合わせるのみで簡易に構成される。すなわち、その仕切り部１４は濾材シート１２が二枚重ねされて通気抵抗が大きくなり、そのため内気と外気を区分してそれぞれ独立に通過させることができる。
【００２７】
従って、本実施形態のフィルタ１０によれば、その構成を簡素化し、フィルタ１０の部分における内気と外気の混合を防止することができるとともに、製作を容易にすることができ、コストの低減を図ることができるという効果を発揮する。
（２）前記濾材シート１２の襞配列方向の端部における襞部１１ａを構成する片側の襞片１２ａを端板１３に固定されない自由端とし、該自由端を有する襞部１１ａを、隣接する濾材シート１２の襞部１１ａに重ね合わせて重ね合わせ部を構成した。このため、一方の濾材シート１２の襞部１１ａに他方の濾材シート１２の襞部１１ａを載せるだけで、速やかに仕切り部１４を形成することができる。
（３）前記仕切り部１４の位置は、内気が通過する濾材シート１２の濾過面積と外気が通過する濾材シート１２の濾過面積の割合が、内気の流量と外気の流量に対応するように決定される。従って、内気と外気の濾過性能をバランス良く発揮することができ、濾材シート１２の寿命を延長させたり、濾過機能を向上させたりすることができる。
（４）前記フィルタ基材１１は、内気が通過する濾材シート１２が濾目の粗い内気用フィルタで構成され、外気が通過する濾材シート１２が濾目の細かい外気用フィルタで構成されている。そのため、内気及び外気の濾過をそれぞれの性状に対応して適切に行うことができる。
（５）前記両濾材シート１２はそれぞれ単独で交換可能である。このため、例えば一方の濾材シート１２が汚れて目詰まりしたとき、その濾材シート１２のみを交換することができる。
【００２８】
なお、前記各実施形態を次のように変更して実施することも可能である。
・  前記濾材シート１２の襞配列方向の端部の襞部１１ａを複数山分、例えば二山分重ね合わせて重ね合わせ部を構成し、仕切り部１４とすることができる。すなわち、図４に示すように、二山分重ね合わせる場合、一方の濾材シート１２は、濾材シート１２の襞配列方向の端部の襞部１１ａの一山半分の襞片１２ａ、すなわち３枚の襞片１２ａが端板１３に接合されない自由端となっている。他方の濾材シート１２は、濾材シート１２の襞配列方向の端部の１つの襞部１１ａの片側の襞片１２ａが端板１３に接合されない自由端となっている。そして、両濾材シート１２の自由端を有する襞部１１ａが二山分重なり合うように一体化することにより、重ね合わせ部を形成することができる。
【００２９】
このように構成した場合、仕切り部１４の幅を広げることができ、通気抵抗を増大させて内気と外気の区分を一層適切にすることができる。
・  図５に示すように、一方の濾材シート１２の１枚の襞片１２ａのみを端板１３に固着されない自由端とし、両濾材シート１２のそれぞれ１枚の襞片１２ａ同士を重ね合わせてもよい。
【００３０】
・  図６に示すように、一方の濾材シート１２には自由端を設けないとともに、他方の濾材シート１２の一山分の２枚の襞片１２ａを端板１３に固着されない自由端とし、一山分の襞部１１ａ同士を重ね合わせてもよい。
【００３１】
・  前記仕切り部１４を構成する重ね合わせ部を、濾材シート１２の襞配列方向の端部の襞部１１ａを三山以上重ね合わせて構成することができる。
・  前記両端板１３の端面１３ａの突き合わせ部分の接合は、両端板１３の端面１３ａを凹凸嵌合したり、凹凸嵌合と同時に接着剤で接着したり、熱融着させたりして行うことができる。
【００３２】
・  前記重ね合わせ部を形成する濾材シート１２同士を接着剤で接合したり、熱融着させたりすることも可能である。
・  前記両端板１３の突き合わせ部分を接着剤等で接合してもよい。
【００３３】
・  前記濾材シート１２を３枚以上連続させてもよい。
・  本発明のフィルタ１０を、家屋空調装置、家屋換気装置のフィルタとして使用してもよい。
【符号の説明】
【００３４】
１０…フィルタ、１１…フィルタ基材、１１ａ…襞部、１１ｂ…幅端部、１２…濾材シート、１２ａ…襞片、１３…端板、１６…内気通路、１７…外気通路。
【図１】
2013126644.tif 000003
【図２】
2013126644.tif 000004
【図３】
2013126644.tif 000005
【図４】
2013126644.tif 000006
【図５】
2013126644.tif 000007
【図６】
2013126644.tif 000008